(57)【要約】【課題】ユーザの意思に沿った作動の確保を可能にする認証システム及び認証方法を提供する。【解決手段】認証システム３は、携帯端末２と車両１との間の無線通信による認証が成立した場合に車両１の作動を許可する。認証システム３は、車両１及び携帯端末２間の距離に準ずる測定値を測定する測定部３０と、測定値を用いた不正通信の検出機能の判定結果に基づき、認証の作動を制御する制御部３１と、携帯端末２で車両１に関連する特定操作が実行された場合に、制御部３１による不正通信の検出機能を無効化する無効化部４０とを備える。【選択図】図１
2020029715.tif 000002
【特許請求の範囲】
【請求項１】
携帯端末とその通信相手との間で無線通信により認証を行う認証システムであって、
前記携帯端末と前記通信相手との少なくとも一方に配置され、前記携帯端末と前記通信相手との間の距離に準じた測定値を測定する測定部と、
前記測定値を用いた不正通信の検出機能の判定結果を基に、前記認証の作動を制御する制御部と、
前記携帯端末で前記通信相手に関連する特定操作が実行された場合に、前記制御部による不正通信の検出機能を無効化させる無効化部と
を備える認証システム。
【請求項２】
前記特定操作は、前記携帯端末において前記通信相手の作動を実行させるための操作を含む
請求項１に記載の認証システム。
【請求項３】
前記携帯端末は、前記通信相手と近距離無線通信が可能な高機能携帯電話であり、
前記携帯端末は、前記通信相手に関連するアプリケーションを備え、
前記特定操作は、前記アプリケーションが起動状態であることを含む
請求項１又は２に記載の認証システム。
【請求項４】
携帯端末とその通信相手との間の距離に準じた測定値が妥当か否かを判定し、当該測定値を用いた不正通信の検出機能の判定結果を基に、前記携帯端末及び前記通信相手の間の無線による認証の作動を制御し、前記携帯端末で前記通信相手に関連する特定操作が実行された場合に、前記不正通信の検出機能を無効化する認証方法。
【発明の詳細な説明】
【技術分野】
【０００１】
本発明は、無線通信を通じて認証を行う認証システム及び認証方法に関連する。
【背景技術】
【０００２】
従来、例えば車両において、ユーザに所持される携帯端末と車両に搭載される車載機との間で無線通信を通じた認証を行い、この認証が成立した場合に車両の制御を行う認証システムが知られている。認証システムとしては、車両からの通信を契機に携帯端末が自動で応答してＩＤ照合を行うスマート照合システムが周知である。
【０００３】
ところで、この種の認証システムにおいては、正規携帯端末を所持したユーザの意志によらない所でＩＤ照合成立を謀る不正通信として、例えば中継器を使った不正通信が懸念されている。中継器を使った不正通信は、携帯端末が車両から遠い場所に位置する場合に、例えば複数の中継器によって車載機及び携帯端末の間の通信を中継し、ＩＤ照合を不正に成立させる行為である。よって、正規携帯端末を所持したユーザが気付かないところでＩＤ照合が成立されてしまうおそれがあった。
【０００４】
このような不正通信に対して、特許文献１には、車両と携帯端末との間の距離を測定して不正通信を検出する技術が開示されている。この場合、車載機と携帯端末との間で測距信号を相互に送受信し、その測距信号を解析することにより車両と携帯端末との距離を測定する。よって、中継器が介在する場合には、測距信号の到達時間が長くなるので、測定された距離が閾値よりも大きくなる。そのため、不正通信を検出できる。
【先行技術文献】
【特許文献】
【０００５】
【特許文献１】特開２００６−１１８８８７号公報
【発明の概要】
【発明が解決しようとする課題】
【０００６】
しかし、正規携帯端末による正規通信と不正通信とを正確に判別することは難しい。例えば、車両と携帯端末との距離に基づいて不正通信を検出する場合に、通信環境が不安定であると、実際とは異なる距離が測定されてしまい、正規通信にも拘わらず不正通信と判定されてしまうことがある。この場合、正規ユーザであっても車両を使用することができず、不便さを感じる問題があった。
【０００７】
本発明の目的は、ユーザの意思に沿った作動の確保を可能にする認証システム及び認証方法を提供することにある。
【課題を解決するための手段】
【０００８】
上記課題を解決するための認証システムは、携帯端末とその通信相手との間で無線通信により認証を行う認証システムであって、前記携帯端末と前記通信相手との少なくとも一方に配置され、前記携帯端末と前記通信相手との間の距離に準じた測定値を測定する測定部と、前記測定値を用いた不正通信の検出機能の判定結果を基に、前記認証の作動を制御する制御部と、前記携帯端末で前記通信相手に関連する特定操作が実行された場合に、前記制御部による不正通信の検出機能を無効化させる無効化部とを備える。
【０００９】
この構成によれば、携帯端末において通信相手に関連する特定操作が有る状態では、ユーザが通信相手を作動させようとする意思があることを前提として、この状態では不正通信の判定結果を問わず認証を成立させる。そのため、特定操作が有る状態では、正規通信にも拘わらず認証が不成立となり通信相手の作動ができないという事象の発生を抑制することができる。よって、ユーザの意思に沿った作動の確保が可能となる。
【００１０】
前記認証システムにおいて、前記特定操作は、前記携帯端末において前記通信相手の作動を実行させるための操作を含むことが好ましい。この構成によれば、通信相手を作動させようとするユーザの明示的な行為を契機として不正通信の検出機能を無効化する。これは、ユーザの意思に沿った作動の確保に一層寄与する。
【００１１】
前記認証システムにおいて、前記携帯端末は、前記通信相手と近距離無線通信が可能な高機能携帯電話であり、前記携帯端末は、前記通信相手に関連するアプリケーションを備え、前記特定操作は、前記アプリケーションが起動状態であることを含むことが好ましい。この構成によれば、高機能携帯電話で通信相手に関連するアプリケーションが起動状態である場合、不正通信の判定結果を問わず認証を成立させる。そのため、アプリケーションが起動状態では、正規通信にも拘わらず認証が不成立となり通信相手の作動ができないという事象の発生を抑制することができる。よって、ユーザの意思に沿った作動の確保に寄与する。
【００１２】
上記課題を解決するための認証方法は、携帯端末とその通信相手との間の距離に準じた測定値が妥当か否かを判定し、当該測定値を用いた不正通信の検出機能の判定結果を基に、前記携帯端末及び前記通信相手の間の無線による認証の作動を制御し、前記携帯端末で前記通信相手に関連する特定操作が実行された場合に、前記不正通信の検出機能を無効化する。
【発明の効果】
【００１３】
本発明の認証システム及び認証方法は、ユーザの意思に沿った作動の確保を可能にする。
【図面の簡単な説明】
【００１４】
【図１】認証システムの構成を示すブロック図。
【図２】携帯端末についての特定操作を示す図。
【図３】認証システムにおける認証の流れを示すフロー図。
【図４】他の実施形態において、電子キーについての特定操作を示す図。
【発明を実施するための形態】
【００１５】
以下、認証システム及び認証方法の一実施形態を、図１〜３に従って説明する。
図１に示すように、通信相手としての車両１は、無線通信を通じて携帯端末２の正否を認証する認証システム３を備える。携帯端末２は、電話機能を有し、近距離無線通信を用いて車両１と通信可能な高機能携帯電話であることが好ましい。本例の認証システム３は、車両１からの通信を契機に近距離無線通信によってＩＤ照合を実行するキー操作フリーシステム（近距離無線照合システム）である。近距離無線通信は、例えばＢｌｕｅｔｏｏｔｈ（登録商標）であることが好ましい。
【００１６】
車両１は、ＩＤ照合を行う照合ＥＣＵ（Ｅｌｅｃｔｒｏｎｉｃ  Ｃｏｎｔｒｏｌ  Ｕｎｉｔ）４と、車載電装品の電源を管理するボディＥＣＵ５と、エンジン６を制御するエンジンＥＣＵ７とを備えている。これらＥＣＵは、車内の通信線８を通じて接続されている。通信線８は、例えばＣＡＮ（Ｃｏｎｔｒｏｌｌｅｒ  Ａｒｅａ  Ｎｅｔｗｏｒｋ）やＬＩＮ（Ｌｏｃａｌ  Ｉｎｔｅｒｃｏｎｎｅｃｔ  Ｎｅｔｗｏｒｋ）からなる。
【００１７】
照合ＥＣＵ４のメモリ９には、車両１に登録された携帯端末２の電子キーＩＤ及びキー固有鍵が書き込み保存されている。認証システム３においては、照合ＥＣＵ４と携帯端末２との間で自動的に相互通信による一連のＩＤ照合が実行され、そのＩＤ照合が成立したことを一条件としてドアロックの施解錠及びエンジンの始動が許可される。
【００１８】
ボディＥＣＵ５は、車両ドア１０を施解錠するメカ部分としてのドアロック機構１１の作動を制御する。車両ドア１０には、車両ドア１０の開閉を操作するための車外ドアハンドル１２が設けられている。車外ドアハンドル１２には、例えばドア解錠するときのトリガとして車外ドアハンドル１２に対するユーザのタッチ操作を検出するタッチセンサ１３が設けられている。また、車外ドアハンドル１２には、例えばドア施錠するときに操作するロックボタン１４が設けられている。ボディＥＣＵ５は、タッチセンサ１３及びロックボタン１４の検出信号を基に、ドアロック機構１１の作動を制御する。
【００１９】
エンジンＥＣＵ７は、車両１のエンジン６の電源の遷移を制御する。車両１には、エンジン６の電源遷移を操作するためのエンジンスイッチ１５が設けられている。エンジンスイッチ１５は、例えばプッシュ式のスイッチであることが好ましい。エンジンＥＣＵ７は、所定の条件下でエンジンスイッチ１５が操作されることでエンジン６の遷移を制御する。なお、ここでいう所定の条件とは、ＩＤ照合が成立していること、車室内に携帯端末２が位置していること、車両１のブレーキペダル（図示略）が踏まれていること、車両１のトランスミッションがパーキングレンジに入っていること、及びこれらの組み合わせが挙げられる。
【００２０】
車両１は、携帯端末２と近距離無線通信を行なうための車両通信部１６を備えている。本例の近距離無線通信において、携帯端末２がマスタであり、車両１がスレーブである。車両通信部１６は、車両１の近傍エリアに定期的にアドバタイズメッセージを送信している。
【００２１】
携帯端末２は、携帯端末２の作動を制御する端末制御部２０と、携帯端末２においてネットワーク通信を行なうネットワーク通信モジュール２１と、携帯端末２において近距離無線通信を行う近距離無線通信モジュール２２とを備える。
【００２２】
携帯端末２と車両１との通信接続（ブルートゥース接続）を確立するためには、例えば、携帯端末２及び車両１の一方を発見可能状態に設定し、他方から発見操作を行なう。アドバタイズメッセージを携帯端末２が受信できる位置まで双方が近接すると、発見操作を行なっている他方の機器には発見可能状態に有る一方の機器が提示される。そして、接続相手として機器を選択し、その後、双方の機器にて同一の認証鍵を入力して認証鍵の交換が終わればペアリングが完了する。一度ペアリングを行なった車両１及び携帯端末２の間では、次の通信接続からは認証鍵の入力が不要である。そのため、ペアリングが完了した車両１及び携帯端末２同士では、通信接続は自動的に通信接続される。
【００２３】
携帯端末２は、車両１と近距離無線通信を通じてＩＤ照合を行うユーザインタフェースアプリケーション２３（以下、ＵＩアプリケーション２３と表記）を備える。ＵＩアプリケーション２３は、例えばネットワーク通信によりサーバからダウンロードされるなどして、端末制御部２０に設けられる。ＵＩアプリケーション２３は、携帯端末２を車両１の電子キーとして作動させるためのプログラムの一種であって、電子キー登録、ＩＤ照合、車両操作などの種々の処理を実行する。
【００２４】
携帯端末２を車両１の電子キーとして使用するにあたり、携帯端末２は、車両１に携帯端末２の電子キーＩＤ及びキー固有鍵を登録（電子キー登録）する。例えば、携帯端末２は、ＵＩアプリケーション２３によりネットワーク通信を通じてサーバ（図示略）にログイン（ユーザＩＤ及びパスワードの認証）する。そして、携帯端末２は、サーバから電子キーＩＤ及びキー固有鍵を取得し、メモリ２４に書き込み保存する。さらに、携帯端末２は、ＵＩアプリケーション２３により近距離無線通信を通じて車両１に接続（ログイン）し、携帯端末２の電子キーＩＤ及びキー固有鍵を登録する。
【００２５】
ＵＩアプリケーション２３は、車両１とブルートゥース通信を通じた相互通信により自動的にＩＤ照合を実行する。例えば、携帯端末２の電子キー登録が完了し、かつ車両１と携帯端末２との間で通信接続が確立している場合、照合ＥＣＵ４及びＵＩアプリケーション２３間で電子キーＩＤを送受信して照合を行うとともに、キー固有鍵を用いたチャレンジレスポンス認証等の暗号認証を行う。照合ＥＣＵ４は、これら照合や認証が成立することを確認すると、ＩＤ照合を成立と判定する。なお、これら一連のＩＤ照合は、ユーザによる携帯端末２の操作をすることなく、また、車両１の操作をすることなく自動的に処理が実行される。すなわち、ＵＩアプリケーション２３は、携帯端末２の画面上で立ち上げられていない状態でも、バックグラウンドでＩＤ照合の処理を行う。
【００２６】
図２に示すように、ＵＩアプリケーション２３は、ＩＤ照合が成立している状況下において操作することにより種々の機能を実行するインターフェース２５を備える。インターフェース２５は、ＵＩアプリケーション２３が携帯端末２上で起動されると、携帯端末２の画面上に表示されるボタンである。インターフェース２５は、車両１の作動を伴わないものと、車両１の作動を実行させるものがある。車両１の作動を伴わないものとしては、例えば、バッテリ確認部２６がある。バッテリ確認部２６は、タップ操作により車両１のバッテリ残量を携帯端末２の画面上に表示する。また、車両１の作動を実行させるものとしては、例えば、ロック操作部２７及びアンロック操作部２８がある。ロック操作部２７は、タップ操作により車両ドア１０の施錠を実行させる。アンロック操作部２８は、タップ操作により車両ドア１０の解錠を実行させる。
【００２７】
図１に戻り、認証システム３は、不正に認証を成立させようとする不正通信の検出に基づき認証の成立可否を判定する機能（不正通信の検出機能：通信不正成立防止システム２９）を備える。通信不正成立防止システム２９は、車両１及び携帯端末２の間の距離に準じた測定値を測定する測定部３０を備える。また、通信不正成立防止システム２９は、この測定値を用いた不正通信の検出機能の判定結果を基に、無線による認証（ＩＤ照合）の作動を制御する制御部３１を備える。制御部３１は、車両１の照合ＥＣＵ４に設けられた制御部３１ａと、携帯端末２のＵＩアプリケーション２３に設けられた制御部３１ｂとを含む。
【００２８】
測定部３０は、車両１及び携帯端末２の間の距離に準じた測定値としての測距値を近距離無線通信によって測定する。制御部３１は、この測距値から通信の妥当性を判定する。測定部３０による測距方式は、例えば車両１及び携帯端末２の間で測距信号Ｓｄを送受信し、その際の送受信にかかる伝搬時間を基に両者の間の距離を測定するＴＯＦ（Ｔｉｍｅ  Ｏｆ  Ｆｌｉｇｈｔ）方式であることが好ましい。制御部３１ａ及び制御部３１ｂは、車両１及び携帯端末２の間における測距信号Ｓｄの送受信を制御する。
【００２９】
制御部３１は、車両１及び携帯端末２の測距値が閾値以下であった場合に、測距認証が成立したと判定する。一方、制御部３１は、車両１及び携帯端末２の測距値が閾値より長い場合に、測距認証が不成立したと判定する。照合ＥＣＵ４は、測距認証が不成立の場合、車両１の作動を禁止する。なお、制御部３１による測距認証の判定は、車両１側の制御部３１ａ又は携帯端末２側の制御部３１ｂの少なくとも一方で行われればよい。本例の場合、制御部３１ａが測距認証の判定を行う。
【００３０】
通信不正成立防止システム２９は、携帯端末２で車両１に関連する特定操作が実行された場合に、制御部３１による不正通信の検出機能を無効化する無効化部４０を備える。本例の無効化部４０は、車両１の照合ＥＣＵ４に設けられる無効化部４０ａと、携帯端末２のＵＩアプリケーション２３に設けられる無効化部４０ｂとを備える。本例の無効化部４０は、特定操作を検出した場合に、制御部３１を無効化することにより、制御部３１に測距信号Ｓｄを送受信させないようにする。なお、車両１に関連する特定操作とは、車両１の作動を実行させるロック操作部２７の操作及びアンロック操作部２８の操作であることが好ましい。
【００３１】
次に、認証システム３の作用及び効果を、図２及び図３を用いて説明する。ここでは、携帯端末２を所持したユーザが車両ドア１０を解錠する場合を例に説明する。なお、車両１と携帯端末２との近距離無線通信におけるペアリングは完了しているものとする。
【００３２】
図３に示すように、ステップＳ１０１では、車両１（照合ＥＣＵ４）は、携帯端末２との通信接続を確立するために、アドバタイズメッセージを車両通信部１６から車両１の近傍に送信する。携帯端末２（端末制御部２０）は、車両１の近傍エリアに進入し、アドバタイズメッセージを受信すると、車両１との通信接続を開始する。
【００３３】
ステップＳ１０２では、車両１及び携帯端末２は、アドバタイズメッセージに連なる一連の通信接続の処理に従い、機器認証が成立すると、自動で通信接続する。両者の通信接続は、携帯端末２が車両１との近距離無線通信の範囲外へ移動するまで継続される。
【００３４】
ステップＳ１０３では、車両１及び携帯端末２が通信接続されると、車両１及び携帯端末２は、ＩＤ照合を開始する。携帯端末２におけるＩＤ照合の処理は、ＵＩアプリケーション２３がバックグラウンドで処理することにより行われる。ＵＩアプリケーション２３は、照合ＥＣＵ４との間で電子キーＩＤの送受信及びキー固有鍵を用いた暗号認証を行う。照合ＥＣＵ４は、電子キーＩＤの照合及びキー固有鍵を用いた暗号認証が成立すると、ＩＤ照合が成立したと判定する。一方、照合ＥＣＵ４は、電子キーＩＤの照合及びキー固有鍵を用いた暗号認証のいずれかが不成立の場合、ＩＤ照合が不成立したと判定する。ＩＤ照合が不成立した場合、車両１の作動は禁止される。
【００３５】
ステップＳ１０４では、ＩＤ照合が成立した場合、制御部３１は、測距を開始する。測定部３０は、車両１側の制御部３１ａと携帯端末２側の制御部３１ｂとの間で送受信された測距信号Ｓｄの伝播時間から車両１及び携帯端末２間の測距値を測定する。
【００３６】
ステップＳ１０５では、制御部３１ａは、測定した車両１及び携帯端末２間の測距値が閾値以下であるかどうかを判定する。制御部３１ａは、測定した測距値が閾値以下であった場合、測距認証が成立したと判定してステップＳ１０６へ移行する。一方、制御部３１ａは、測定した測距値が閾値より長い場合、測距認証が不成立したと判定してステップＳ１０７へ移行する。
【００３７】
ステップＳ１０６では、照合ＥＣＵ４は、ＩＤ照合及び測距認証が成立した場合、車両１の作動を許可する。この状態において、車両ドア１０の車外ドアハンドル１２がタッチ操作されると、車両ドア１０が解錠される。このように、車両１及び携帯端末２が相互に無線通信を行うことにより、ユーザが携帯端末２を操作することなく、自動的に車両１の作動が許可される。
【００３８】
ステップＳ１０７では、照合ＥＣＵ４は、測距認証が不成立した場合、車両１の作動を禁止する。この状態において、車両ドア１０の車外ドアハンドル１２がタッチ操作されても、車両ドア１０は解錠されない。仮に、中継器を使用した不正通信が行われた場合、ステップＳ１０５で距離が閾値以上となるため、ステップＳ１０７に移行し、車両１の作動を禁止することができる。
【００３９】
ところで、ユーザが車両１を作動させようと携帯端末２で特定操作を実行した場合、ユーザは、車両１の近傍に位置し、かつ車両１に対して注意を払っているのが普通であるため、不正通信が行われ難いと判断して差し支えない。そのため、このような状況では不正通信が無いとして、測距認証を無効化しても何ら問題ない。むしろ、不必要な不正通信の検出を行わず、制御部３１が距離を誤検出してしまう可能性をなくすことを優先する。
【００４０】
図２に示すように、本例の場合、携帯端末２側の無効化部４０ｂは、携帯端末２において特定操作があった場合、車両１からの距離や位置に関係なく、携帯端末２側の制御部３１ｂによる不正通信の検出機能を無効化する。本例の携帯端末２側の無効化部４０ｂは、携帯端末２側の不正通信の検出機能を、一定時間の間に亘って停止する。よって、携帯端末２からは測距信号Ｓｄが送信されることがない。
【００４１】
携帯端末２の無効化部４０ｂは、携帯端末２側の不正通信の検出機能が停止されている場合、車両１及び携帯端末２の通信が確立したときに、車両１側の不正通信の検出機能の無効化を要求する無効化信号Ｓｉｖを、ブルートゥース通信を通じて車両１に送信する。車両１側の無効化部４０ａは、無効化信号Ｓｉｖを受信すると車両１側の制御部３１ａに測距信号Ｓｄの送受信を停止させ、測距認証を無効化する。なお、無効化信号Ｓｉｖは、ＩＤ照合の前、後、途中のいずれのタイミングで送信されてもよい。
【００４２】
以上により、照合ＥＣＵ４は、制御部３１による距離に基づく判定を行うことなく、車両１の作動を許可する。そのため、特定操作が有る状態では、認証が不成立となり車両１の作動ができないという事象の発生を抑制することができ、それだけ、ユーザの意思に沿った作動が可能になる。
【００４３】
また、例えば、携帯端末２の無効化部４０ｂは、ＩＤ照合及び測距認証の処理を実行している期間（ステップＳ１０３〜ステップＳ１０５）に特定操作を検出した場合、その時点で無効化信号Ｓｉｖを車両１の無効化部４０ａに送信する。これにより、照合ＥＣＵ４は、無効化信号Ｓｉｖを受信した時点で直ちに制御部３１による測距認証を無効化する。これにより、測距値の判定が行われず、ＩＤ照合が成立したことを条件に車両１の作動が許可される。
【００４４】
本例では、車両１及び携帯端末２間の測距値を測定する測定部３０と、測距値に基づき、認証の成立可否を判定する制御部３１と、携帯端末２で車両１に関連する特定操作が実行された場合に、制御部３１による不正通信の検出機能を無効化する無効化部４０を備えた。この構成によれば、携帯端末２において特定操作が有る状態では、正規通信にも拘わらず認証が不成立となり車両１の作動ができないという事象の発生を抑制することができる。よって、ユーザの意思に沿った作動の確保が可能となる。
【００４５】
本例では、特定操作は、携帯端末２において、車両１の作動を実行するロック操作部２７の操作及びアンロック操作部２８の操作とした。この構成によれば、車両１を作動させようとするユーザの明示的な行為を契機として不正通信の検出機能を無効化する。そのため、不正通信がされ難い状況でのみ無効化部４０を作動させることができる。これは、ユーザの意思に沿った作動の確保に一層寄与する。
【００４６】
なお、本実施形態は、以下のように変更して実施することができる。本実施形態及び以下の変更例は、技術的に矛盾しない範囲で互いに組み合わせて実施することができる。
・本実施形態において、携帯端末２は、高機能携帯電話に限定されない。車両１に紐付けられた個別の電子キーであってもよい。図４を用いて携帯端末２に電子キーを適用した場合を説明する。電子キーは、車両１と無線通信を通じてＩＤ照合及び測距認証が可能であるとする。
【００４７】
図４に示すように、電子キー５０には、車両１を操作させるための操作部５１が設けられている。操作部５１は、車両ドアを施錠するために操作されるためのロック操作部５２と、車両ドアを解錠するために操作されるアンロック操作部５３を備える。操作部５１が操作されると、無効化部４０により無効化信号Ｓｉｖが車両１に送信されるとともに、制御部３１による不正通信の検出機能を無効化する。この場合でも、ユーザの意思に沿った作動を可能にする。
【００４８】
・本実施形態において、無効化部４０による制御の契機となる車両１に関連する特定操作には、ＵＩアプリケーション２３の起動が含まれてもよい。ここで、ＵＩアプリケーション２３の起動とは、携帯端末２においてＵＩアプリケーション２３を選択して起動する操作だけでなく、インターフェース２５が携帯端末２の画面上に表示されている状態を含むことが好ましい。一方、ＵＩアプリケーション２３の起動には、ＵＩアプリケーション２３がバックグラウンドでＩＤ照合などの処理を行っている状態を含まないことが好ましい。ＵＩアプリケーション２３が起動されている場合、ユーザが車両に対して注意を払っているのが普通であるため、不正通信が行われ難いと判断して差し支えない。そのため、この構成によっても、ユーザの意思に沿った作動の確保に寄与する。また、特定操作には、他に、インターフェース２５の操作（バッテリ確認部２６の操作、ロック操作部２７の操作、及びアンロック操作部２８の操作を含む）が含まれてもよい。
【００４９】
・本実施形態において、ＵＩアプリケーション２３のインターフェース２５は本実施例に限定されない。例えば、パワースライドドアの開閉操作をするものなどがあってもよい。
【００５０】
・本実施形態において、無効化部４０は、特定操作を検出した場合に、一定時間、測距信号Ｓｄの送受信を停止させることとしたが、これに限定されない。すなわち、無効化部４０が測距信号Ｓｄの送受信を停止することは、構成要件から省略可能である。ただし、制御部３１を無効化するにあたって、不正通信の検出機能を一定時間、無効化（測距信号Ｓｄの送受信を停止）させることは、省電力化に寄与する。
【００５１】
・本実施形態において、無効化部４０が制御部３１による不正通信の検出機能を無効化するとは、測距認証を無効化及び停止させることに限定されず、測距値の判定結果を問わず測距認証を成立したと判定させることも含む。また、照合ＥＣＵ４が測距認証の判定結果を無視し、ＩＤ照合の判定結果のみで認証を成立するように制御してもよい。要するに、制御部３１の不正通信の検出機能によって認証が不成立（又は成立に移行しない状況）にならないように制御すればよい。
【００５２】
・本実施形態において、エンジン６の遷移を制御する際の所定の条件は、特に限定されない。また、車室内に携帯端末２が位置するかどうかの判定方法も限定されない。例えば、測距によって判定されてもよい。
【００５３】
・本実施形態において、測距の演算方法や距離判定の仕方は、実施例に限定されず、例えばＲＳＳＩ（Ｒｅｃｅｉｖｅｄ  Ｓｉｇｎａｌ  Ｓｔｒｅｎｇｔｈ  Ｉｎｄｉｃａｔｏｒ）などの方式を適用可能である。また、測定部３０は、携帯端末２側に設けられてもよい。
【００５４】
・測距認証による無線通信が妥当か否かの判定は、車両１側の制御部３１ａ及び携帯端末２側の制御部３１ｂのどちらで行われてもよいし、両方で行われてもよい。また、制御部３１は、車両１と携帯端末２との少なくとも一方に設けられればよい。
【００５５】
・本実施形態において、不正通信を検出する方法は、実施例に限定されない。例えば車両１及び携帯端末２の双方で電波の信号受信強度（ＲＳＳＩ）を比較することや、全地球測位システム（ＧＰＳ）を用いて位置を確認することにより通信正否を判定してもよく、他の方法に適宜変更できる。すなわち、測定部３０は、測距を行うことに限定されない。
【００５６】
・本実施形態において、近距離無線通信の通信規格や帯域は、実施例に限定されない。例えば、Ｗｉ−Ｆｉなどが適用可能である。
・本実施形態において、車両１と携帯端末２との近距離無線通信の通信接続（ペアリング）を行う方法は、特に限定されない。例えば、どちらか片方の機器の操作のみでペアリングを行なってもよい。また、ペアリング時に車両１側で操作を行う場合、車両１に搭載されたカーナビゲーションシステムなどの機器を入出力機器として適用することができる。また、ペアリング時に携帯端末２側で操作を行う場合、ＵＩアプリケーション２３ではなく、携帯端末２に予め搭載されたソフトウェア上の設定画面を用いることができる。すなわち、ペアリングに際して、操作機器、操作方法及び認証方法などは適宜変更可能である。
【００５７】
・本実施形態において、携帯端末２が電子キーＩＤ及びキー固有鍵を取得する方法は、インターネット通信を通じてサーバから取得することとしたが、これに限定されない。例えば、ＵＩアプリケーション２３を用いて車両１にログイン（ユーザＩＤ及びパスワード認証）し、予め車両１に登録されている電子キーＩＤ及びキー固有鍵を携帯端末２に付与する態様としてもよい。
【００５８】
・本実施形態において、認証システム３で行うＩＤ照合は、電子キーＩＤ照合やキー固有鍵の暗号認証に限らず、携帯端末２の正否を確認できるものであればよい。
・本実施形態において、一連の認証において、ＩＤ照合と測距認証の順番は特に限定されない。例えば、測距認証の後にＩＤ照合を行ってもいいし、ＩＤ照合と測距認証との実行期間が重なるように行ってもよい。
【００５９】
・本実施形態において、携帯端末２の通信相手は車両１に限定されず、他の機器や装置に変更可能である。
【符号の説明】
【００６０】
１…車両、２…携帯端末、３…認証システム、４…照合ＥＣＵ、１５…車両通信部、２０…端末制御部、２２…近距離無線通信モジュール、２３…ユーザインタフェースアプリケーション、２５…インターフェース、３０…測定部、３１…制御部、４０…無効化部。
【図１】
2020029715.tif 000003
【図２】
2020029715.tif 000004
【図３】
2020029715.tif 000005
【図４】
2020029715.tif 000006